(57)【要約】      （修正有）【課題】不測の連結解除と、腕木材の不安定さをともになくす。【解決手段】くさび緊結式足場における緊結装置は、支柱１側の受け金具２が、平面視コ形で傾斜中央壁５とピン受け入れ孔７付き一側壁を有する。腕木材３側の係止金具は、くさび８と、平面視逆コ形で一部が腕木材から下方に突出しかつ後側の下向き段部１６下方に形成せられた挿入部１７の一側壁６にピン受け入れ孔に一致するピン収納孔１８があけられたくさび案内部材９と、くさび案内部材の一側壁内面に沿わされた下端部に抜け止めピン１０を有する板ばねを備えている。くさびは、抜け止めピンを受け金具のピン受け入れ孔に押し入れ得る程度くさび案内部材の一側壁内面に近接した近接面部１４と、抜け止めピンを受け金具のピン受け入れ孔から引き出し得る程度同内面から離れた離隔面部１５を有する。【選択図】図６
2008280741.tif 000002
【特許請求の範囲】
【請求項１】
支柱の所定高さ外周に固着せられた受け金具と、２つの支柱間に渡される腕木材の端部に前側が露出するように埋入付設せられかつ受け金具に係止せられる係止金具とよりなり、受け金具は、平面からみてコ形で中央壁が前下りに傾斜せしめられており、係止金具は、縦長板状くさびと、平面からみて逆コ形で腕木材から下方に突出し、受け金具に挿入時支柱に接する中央壁を備えており、くさびが上下動自在に挿入せられているくさび案内部材と、上端がくさび案内部材の一側壁上部に固定せられて一側壁内面に沿わされかつ下端部に抜け止めピンを有し、くさびをくさび案内部材の他側壁に摺動可能な程度に押圧して保持するとともに、抜け止めピンをくさび案内部材の一側壁反対方向に付勢している板ばねとを備えており、くさびは、緊結のため降下せしめるさい、くさび案内部材の中央壁と接する垂直部を前縁に備えるとともに、受け金具の中央壁に沿う前下がり傾斜部を後縁の長さの中間に備え、くさび案内部材の一側壁内面と相対するくさびの面が、くさび案内部材の一側壁内面に近接している近接面部と、その下方のくさび案内部材の一側壁内面から離れている離隔面部を有し、くさび案内部材の後側には、受け金具の後部上縁に受け止められて腕木材の水平度を保障する下向き段部が形成せられ、くさび案内部材の下向き段部から下方が受け金具への挿入部となされ、くさび案内部材の一側壁における挿入部部分には、左右貫通状ピン収納部が形成せられ、受け金具の後部上縁にくさび案内部材の下向き段部が受け止められた状態において、受け金具の一側壁にピン収納部に対応してピン受け入れ部が形成せられており、ピン受け入れ部は、係止金具が受け金具から上方に抜けようとしたさい抜け止めピンが引っ掛かる上縁を有しており、くさびの近接面部は、抜け止めピンをばね力に抗して受け金具のピン受け入れ部に押し入れ得る程度近接し、くさびの離隔面部は、抜け止めピンをばね力により受け金具のピン受け入れ部から引き出し得る程度離れているくさび緊結式足場における緊結装置。
【請求項２】
くさび案内部材の上縁が腕木材の上端とほぼ一致しており、くさび案内部材に挿入せられたくさびが、緊結時その上縁全体のうち少なくとも枠組足場用薄鋼板製床付き布わくのつかみ金具の掛かる部分がくさび案内部材とほぼ同じ高さとなる形状に形成せられている請求項１記載のくさび緊結式足場における緊結装置。
【請求項３】
くさび案内部材の一側壁内面と相対するくさびの面には、少なくともくさびが上下動し得る長さの板ばね嵌入溝が形成せられており、板ばね嵌入溝は、くさびの近接面部となる上部浅底部と、くさびの離隔面部となる下部深底部を有し、両底部は中間傾斜底部によりつながれている請求項１または２記載のくさび緊結式足場における緊結装置。
【請求項４】
板ばねが、くさび案内部材の一側壁の上端に形成せられた凹部の外縁に掛け止められる上端鈎部と、抜け止めピンが取り付けられている垂直部と、鈎部下方の大半を占め、くさび側に凸の大形第１円弧状湾曲部と、第１円弧状湾曲部と垂直部との間にあり、くさび案内部材の一側壁側に凸の小形第２円弧状湾曲部とよりなる請求項１、２または３記載のくさび緊結式足場における緊結装置。
【請求項５】
くさびの上端部に、くさびがくさび案内部材から下方に抜けようとしたさい、くさび案内部材の中央壁の上縁に引っ掛かるくさび下方抜け止め前突出部が設けられているとともに、くさびの下端部に、くさびがくさび案内部材から上方に抜けようとしたさい、くさび案内部材の両側壁の下縁に引っ掛かるくさび上方抜け止め左右突出部が設けられている請求項１ないし４のいずれか一項に記載のくさび緊結式足場における緊結装置。
【請求項６】
腕木材が金属管製であり、金属管の上下対向壁端部に平面からみてコ形の切欠部が設けられ、両切欠部の底に両側縁に凹部を有する垂直板上下両端部が溶接せられ、くさび案内部材の両側壁の下向き段部より上方部分の後端に、垂直板の両側縁凹部に密に嵌る後方突出部が設けられ、くさび案内部材の両後方突出部が垂直板の両凹部に嵌められて凹部内縁に溶接せられており、両切欠部両側の対向する金属管端分離部が、くさび案内部材の両側面カバー部となされている請求項１ないし５のいずれか一項に記載のくさび緊結式足場における緊結装置。
【発明の詳細な説明】
【技術分野】
【０００１】
本発明は、くさび式緊結式足場における緊結装置に関する。
【０００２】
なお、この明細書において、支柱と腕木材との関係において、前とは緊結する支柱のある側を、後とは緊結する腕木材のある側をいうものとする。
【背景技術】
【０００３】
従来の上記緊結装置は、支柱の所定高さ外周に固着せられた受け金具と、２つの支柱間に渡される腕木材の端部に固着せられたくさび状係止金具とよりなり、くさび状係止金具を受け金具にハンマーで上から叩き込んで係止することにより、支柱と腕木材とを緊結していた。また、支柱と腕木材との緊結を解除するさいには、腕木材のくさび状係止金具を支柱の受け金具からハンマーで下から叩き上げて係止を解除するか、または支柱の受け金具の近くの腕木材の端部をハンマーで下から叩き上げて同端部に固着せられているくさび状係止金具の係止を解除していた。このように、支柱と腕木材の緊結は、くさび状係止金具を受け金具に固く差し込むことより行われているだけであるから、腕木材の下を大きな工具を持って通過したり、資材の取付け作業をするさいに、工具や資材が腕木材に当たったりするなどして腕木材に不測の力が下から加わると、くさび状係止金具の係止が緩み、受け金具からくさび状係止金具が外れる危険性があった。さらに、従来から広く一般に用いられてきた枠組足場に使用されている薄鋼板製の床付き布わくを腕木材に取付けた場合、床付き布わくは腕木材に対してロック機能を有しているので、これに下からの風圧が加わると、腕木材のくさび状係止金具が受け金具から外れて腕木材もろとも床付き布わくが落下する危険性があった。そこで、床付き布わくとして風の吹き抜けるエキスパンドメタル製のものを使用している。このエキスパンドメタル製のものは薄鋼板製のものに較べて幅が狭いので、これを薄鋼板製のものと同じ幅の床付き布わくにすると、重量が重くなりかつ高価になる。したがって、床付き布わくの幅を狭くしているが、幅が狭いとその上で作業する者に不安感を与える。しかも、エキスパンドメタル製のものは下が透けて見えるので、作業床や通路としては一層の不安感を与えるという問題があった。
【０００４】
仮設構造物を構成する支柱と水平材の連結装置において、特許文献１に開示されているような係止が不測に解除されないとする下記装置が提案されている。すなわち、この提案装置は、受け金具が、平面からみてコ形で中央壁の幅中央に上方開口垂直溝を有しており、係止金具が、水平材の端面板から前方にのび、受け金具の中央壁の垂直溝に嵌め込まれる横断面縦長方形の水平突出部と、水平突出部の先端に設けられて受け金具の中央壁と支柱との間に差し込まれる係止爪と、係止爪の後方において、中央に形成せられた下方開口垂直溝により水平突出部に前後摺動自在に引っ掛けられかつ下端に前向き水平凸部を有し、前面からみて縦長方形、側面からみて逆く形で、前方の係止爪とで中央壁を挟圧するばね製中央壁挟圧部材と、挟圧部材と端面板との間において水平突出部に上下動自在に引っ掛けられ、前面からみて逆Ｕ形、側面からみて上半が幅広に、下半が幅狭となされかつ両下端部に抜け止めピンが渡されているくさび部材とを備えているものである。
【特許文献１】特開２００３−５６１７６号公報
【特許文献２】特開２００６−４５８２２号公報
【発明の開示】
【発明が解決しようとする課題】
【０００５】
特許文献１に開示の提案装置によれば、係止金具の係止爪を受け金具の中央壁と支柱との間に差し込んだ後、上昇位置にあるくさび部材の上端を数回金槌で叩き、その上半幅広部を下げて逆く形のばね製中央壁挟圧部材をばね力に抗して前進させ、係止爪とで中央壁を挟圧し、支柱と水平材を連結するものであるから、連結時中央壁挟圧部材のばね力が働いており、簡単にはくさび部材が上に抜けることはない。しかしながら、ばね製中央壁挟圧部材は、逆く形であるから、これとくさび部材の上半幅広部との間の上下にV状および逆V状の隙間が生じる。したがって、水平材はわずかではあるが、支柱に対して不安定である。
【０００６】
本発明の目的は、支柱からの腕木材の不測の緊結解除と支柱に対する腕木材の不安定さをともに解決したくさび緊結式足場における緊結装置を提供するにある。
【課題を解決するための手段】
【０００７】
請求項１の発明によるくさび緊結式足場における緊結装置は、支柱の所定高さ外周に固着せられた受け金具と、２つの支柱間に渡される腕木材の端部に前側が露出するように埋入付設せられかつ受け金具に係止せられる係止金具とよりなり、受け金具は、平面からみてコ形で中央壁が前下りに傾斜せしめられており、係止金具は、縦長板状くさびと、平面からみて逆コ形で腕木材から下方に突出し、受け金具に挿入時支柱に接する中央壁を備えており、くさびが上下動自在に挿入せられているくさび案内部材と、上端がくさび案内部材の一側壁上部に固定せられて一側壁内面に沿わされかつ下端部に抜け止めピンを有し、くさびをくさび案内部材の他側壁に摺動可能な程度に押圧して保持するとともに、抜け止めピンをくさび案内部材の一側壁反対方向に付勢している板ばねとを備えており、くさびは、緊結のため降下せしめるさい、くさび案内部材の中央壁と接する垂直部を前縁に備えるとともに、受け金具の中央壁に沿う前下がり傾斜部を後縁の長さの中間に備え、くさび案内部材の一側壁内面と相対するくさびの面が、くさび案内部材の一側壁内面に近接している近接面部と、その下方のくさび案内部材の一側壁内面から離れている離隔面部を有し、くさび案内部材の後側には、受け金具の後部上縁に受け止められて腕木材の水平度を保障する下向き段部が形成せられ、くさび案内部材の下向き段部から下方が受け金具への挿入部となされ、くさび案内部材の一側壁における挿入部部分には、ピン収納部が形成せられ、受け金具の後部上縁にくさび案内部材の下向き段部が受け止められた状態において、受け金具の一側壁にピン収納部に対応してピン受け入れ部が形成せられており、ピン受け入れ部は、係止金具が受け金具から上方に抜けようとしたさい抜け止めピンが引っ掛かる上縁を有しており、くさびの近接面部は、抜け止めピンをばね力に抗して受け金具のピン受け入れ部に押し入れ得る程度近接し、くさびの離隔面部は、抜け止めピンをばね力により受け金具のピン受け入れ部から引き出し得る程度離れているものである。
【０００８】
請求項２の発明は、請求項１記載のくさび緊結式足場における緊結装置において、くさび案内部材の上縁が腕木材の上端とほぼ一致しており、くさび案内部材に挿入せられたくさびが、緊結時その上縁全体のうち少なくとも枠組足場用薄鋼板製床付き布わくのつかみ金具の掛かる部分がくさび案内部材の上縁とほぼ同じ高さとなる形状に形成せられているものである。
【０００９】
請求項３の発明は、請求項１または２記載のくさび緊結式足場における緊結装置において、くさび案内部材の一側壁内面と相対するくさびの面には、少なくともくさびが上下動し得る長さの板ばね嵌入溝が形成せられており、板ばね嵌入溝は、くさびの近接面部となる上部浅底部と、くさびの離隔面部となる下部深底部を有し、両底部は中間傾斜底部によりつながれているものである。
【００１０】
請求項４の発明は、請求項１、２または３記載のくさび緊結式足場における緊結装置において、板ばねが、くさび案内部材の一側壁の上端に形成せられた凹部の外縁に掛け止められる上端鈎部と、抜け止めピンが取り付けられている垂直部と、鈎部下方の大半を占め、くさび側に凸の大形第１円弧状湾曲部と、第１円弧状湾曲部と垂直部との間にあり、くさび案内部材の一側壁側に凸の小形第２円弧状湾曲部とよりなる板ばねが、くさび案内部材の一側壁の上端に形成せられた凹部の外縁に掛け止められる上端鈎部と、抜け止めピンが取り付けられている垂直部と、鈎部下方の大半を占め、くさび側に凸の大形第１円弧状湾曲部と、第１円弧状湾曲部と垂直部との間にあり、くさび案内部材の一側壁側に凸の小形第２円弧状湾曲部とよりなるものである。
【００１１】
請求項５の発明は、請求項１ないし４のいずれか一項に記載のくさび緊結式足場における緊結装置において、くさびの上端部に、くさびがくさび案内部材から下方に抜けようとしたさい、くさび案内部材の中央壁の上縁に引っ掛かるくさび下方抜け止め前突出部が設けられているとともに、くさびの下端部に、くさびがくさび案内部材から上方に抜けようとしたさい、くさび案内部材の両側壁の下縁に引っ掛かるくさび上方抜け止め左右突出部が設けられているくさびの上端部に、くさびがくさび案内部材から下方に抜けようとしたさい、くさび案内部材の中央壁の上縁に引っ掛かるくさび下方抜け止め前突出部が設けられているとともに、くさびの下端部に、くさびがくさび案内部材から上方に抜けようとしたさい、くさび案内部材の両側壁の下縁に引っ掛かるくさび上方抜け止め左右突出部が設けられているものである。
【００１２】
請求項６の発明は、請求項１ないし５のいずれか一項に記載のくさび緊結式足場における緊結装置において、腕木材が金属管製であり、金属管の上下対向壁端部に平面からみてコ形の切欠部が設けられ、両切欠部の底に両側縁に凹部を有する垂直板上下両端部が固着せられ、くさび案内部材の両側壁の下向き段部より上方部分の後端に、垂直板の両側縁凹部に密に嵌る後方突出部が設けられ、くさび案内部材の両後方突出部が垂直板の両凹部に嵌められて凹部内縁に溶接せられており、両切欠部両側の対向する金属管端分離部が、くさび案内部材の両側面カバー部となされているものである。
【発明の効果】
【００１３】
請求項１の発明によれば、くさび案内部材の後側には、受け金具の後部上縁に受け止められて腕木材の水平度を保障する下向き段部が形成せられており、かつくさび作用により腕木材がぐらつかないので、しっかりと水平に保たれ、しかも、くさびにばね力に優る何らかの力が下から上へ加わったとしても、係止金具側の抜け止めピンが受け金具のピン受け入れ孔縁に引っ掛かるので、くさびが上に抜ける危険性はない。したがって、エキスパンドメタル製でなく薄鋼板製の床付き布わくを使用できるという利点もある。
【００１４】
従来のくさび緊結式足場では、腕木材の両端部にあるくさび状係止金具につかみ金具が当たらない幅の床付き布わくを使用していた。枠組足場の場合、床付き布わくのつかみ金具は、建枠の横架材をつかむので、横架材端部には障害物がなく、くさび緊結式足場用床付き布わくより幅の広い床付き布わくを使用している。従来のくさび緊結式足場に幅の広い床付き布わくを使用しようとすれば、床付き布わくの両端のつかみ金具間の幅を腕木材の両端部にあるくさび状係止金具を避けるように狭くした特別製品を製造せざるを得ない不便がある。
【００１５】
請求項２の発明によれば、くさび案内部材の上縁が腕木材の上端とほぼ一致しており、くさび案内部材に挿入せられたくさびが、緊結時その上縁全体のうち少なくとも枠組足場用薄鋼板製床付き布わくのつかみ金具の掛かる部分がくさび案内部材の上縁とほぼ同じ高さとなる形状に形成せられているから、上に立つ者が安心できる幅を有する枠組足場用薄鋼板製床付き布わくをそのまま使用でき、それに伴って妻側用の朝顔、養生枠、シートなどの枠組足場に使われていた部材も利用可能となる利点がある。
【発明を実施するための最良の形態】
【００１６】
本発明を実施するための最良の形態を、以下図面を参照して説明する。
【００１７】
図１ないし図８に示すくさび式緊結式足場における緊結装置は、支柱（１）の所定高さの外周に固着せられた受け金具（２）と、２つの支柱（１）間に渡される腕木材（３）の端部に前側が露出するように埋入付設せられかつ受け金具（１）に係止せられる係止金具（４）とよりなる。支柱（１）および腕木材（３）は、所定長さを有する鋼管製であり、４つの鋼製受け金具（２）が、図１に示すように、支柱（１）の同一高さの周面四方に溶接により固着せられている。４つの受け金具（２）のうち対向する２つは、一段下に位置せしめられることもある。
【００１８】
受け金具（２）は、平面からみてコ形で中央壁（５）が前下りに傾斜せしめられている。係止金具（４）は、鋼製縦長板状くさび（８）と、平面からみて逆コ形で腕木材（３）のから下方に突出し、受け金具に挿入時支柱（１）に接する中央壁（３１）を備えており、くさび（８）が上下動自在に挿入せられている鋼製くさび案内部材（９）と、上端がくさび案内部材（９）の一側壁（６）上部に固定せられて一側壁（６）内面に沿わされかつ下端部に抜け止めピン（１０）を有し、くさび（８）をくさび案内部材（９）の他側壁（１１）に摺動可能な程度に押圧して保持するとともに、抜け止めピン（１０）をくさび案内部材（９）の一側壁（６）反対方向に付勢しているステンレス製板ばね（１２）(図９参照)とを備えている。くさび（８）は、緊結解除時にはくさび案内部材（９）より上方に一部が突出し、緊結時にはくさび案内部材（９）より下方に一部が突出し得る長さを有しており、くさび案内部材（９）の中央壁（３１）と接する垂直部（３５）を前縁に備えるとともに、受け金具（２）の中央壁（５）に沿う前下がり傾斜部（１３）を後縁の長さの中間に備えている。くさび案内部材（９）の一側壁（６）内面と相対するくさび（８）の面が、くさび案内部材（９）の一側壁（６）内面に近接している近接面部（１４）と、くさび案内部材（９）の一側壁（６）内面から離れている離隔面部（１５）を有し、くさび案内部材（９）の後側には、受け金具（２）の後部上縁に受け止められる下向き段部（１６）が形成せられ、くさび案内部材（９）の下向き段部（１６）から下方が受け金具（２）への挿入部（１７）となされている。くさび案内部材（９）の一側壁（６）における挿入部（１７）部分には、ピン収納孔（１８）があけられており、受け金具（２）の後部上縁にくさび案内部材（９）の下向き段部（１６）が受け止められた状態において、受け金具（２）の一側壁にピン収納孔（１８）に対応してピン受け入れ孔（７）があけられている。くさび（８）の近接面部（１４）は、抜け止めピン（１０）をばね力に抗して受け金具（２）のピン受け入れ孔（７）に押し入れ得る程度近接し、くさびの離隔面部（１５）は、抜け止めピン（１０）をばね力により受け金具（２）のピン受け入れ孔（７）から引き出し得る程度離れている。
【００１９】
係止金具（４）は、腕木材（３）の端部につぎのようにして設けられる。腕木材（３）は、鋼管製である。そこで、これの上下対向壁端部に平面からみてコ形の切欠部（１９）が設けられ、両切欠部（１９）の底に両側縁に凹部（２０）を有する鋼製垂直板（２１）の上下端部が溶接せられ、くさび案内部材（９）の両側壁（６）（１１）の下向き段部（１６）より上方部分の後端に、垂直板（２１）の両側縁凹部（２０）に密に嵌る後方突出部（２２）が設けられ、くさび案内部材（９）の両後方突出部（２２）が垂直板（２１）の両側縁凹部（２０）に嵌められて凹部（２０）内縁に溶接せられており、両切欠部（１９）両側の対向する管端分離部が、くさび案内部材（９）の両側面カバー部（２３）となされている。くさび案内部材（９）の上縁が腕木材（３）の上面からわずかに突出しており、くさび案内部材（９）に挿入せられたくさび（８）が、緊結時その上縁全体のうち枠組足場用薄鋼板製床付き布わくのつかみ金具の掛かる後半部分がくさび案内部材（９）の上縁を越えない形状に形成せられている。
【００２０】
板ばね（１２）は、くさび案内部材（９）の一側壁（６）上端に形成せられた凹部（２４）の外縁に掛け止められている上端鈎部（２５）と、抜け止めピン（１０）が取り付けられている下端垂直部（２６）と、鈎部（２５）下方の大半を占め、くさび側に凸の大形第１円弧状湾曲部（２７）と、第１円弧状湾曲部（２７）と垂直部（２６）との間にあり、くさび案内部材（９）の一側壁（６）側に凸の小形第２円弧状湾曲部（２８）とよりなる。くさび案内部材（９）の上端凹部（２４）の外縁に板ばね（１２）の上端鈎部（２５）を掛け止めることにより、板ばね（１２）の上端がくさび案内部材（９）の一側壁（６）上部に固定せられている。
【００２１】
くさび案内部材（９）の一側壁（６）内面と相対するくさび（８）の面には、くさび（８）が上下動し得る長さの板ばね嵌入溝（２９）が形成せられており、板ばね嵌入溝（２９）は、くさび（８）の近接面部（１４）となる上部浅底部と、くさび（８）の離隔面部（１５）となる下部深底部を有し、両底部は中間傾斜底部（３０）によりつながれている。この実施形態では、板ばね嵌入溝（２９）が形成せられているが、これは必ずしも必要ではなく、くさび案内部材（９）の一側壁（６）内面と相対するくさび（８）の面に、近接面部（１４）と離隔面部（１５）があればよい。
【００２２】
くさび（８）の上端部に、くさび（８）がくさび案内部材（９）から下方に抜けようとしたさい、くさび案内部材（９）の中央壁（３１）の上縁に引っ掛かるくさび下方抜け止め前突出部（３２）が設けられているとともに、くさび（８）の前下端部に、くさび（８）がくさび案内部材（９）から上方に抜けようとしたさい、くさび案内部材（９）の両側壁（６）（１１）の下縁に引っ掛かるくさび上方抜け止め左右突出部（３３）が設けられている。くさび上方抜け止め突出部（３３）は、くさび（８）の前下端部にあけた貫通孔にピンを左右突出状に貫通することにより設けられる。
【００２３】
上記において、支柱（１）に腕木材（３）を緊結するため、支柱（１）の受け金具（２）に腕木材（３）の係止金具（４）を係止するに当たり、まず、係止金具（４）を受け金具（２）に入れると、くさび案内部材（９）の挿入部（１７）が受け金具（２）に挿入されかつ下向き段部（１６）が受け金具（２）の後部上縁に受け止められるので、腕木材（３）が傾いたりせず、その水平度が保証せられる。この状態において、くさび（８）は板ばね（１２）によりくさび案内部材（９）からその上部が突出状に保持されているので、ハンマーにより上からくさび（８）を叩き下げ、くさび（８）の前縁垂直部(３５)をくさび案内部材（９）の中央壁（３１）内面に密接させるとともに、くさび（８）後縁の傾斜部（１３）を受け金具（２）の前下りに傾斜した中央壁（５）内面に密接させる。くさび（８）の降下に伴い、板ばね（１２）の下端にある抜け止めピン（１０）に対するくさび（８）の側面が離隔面部（１５）から近接面部（１４）に移るため、くさび案内部材（９）の一側壁（６）のピン収納孔（１８）にある抜け止めピン（１０）が受け金具（２）のピン受け入れ孔（７）にばね力に抗して押し込まれる。以上の結果、くさび作用により、支柱（１）に対し腕木材（３）が安定した状態でしっかりと水平に保たれて緊結され、しかも、くさび（８）にばね力に優る何らかの力が下から上へ加わったとしても、係止金具（４）側の抜け止めピン（１０）が受け金具（２）のピン受け入れ孔（７）の上縁に引っ掛かり、係止金具（４）が受け金具（２）から上に抜ける危険はない。
【００２４】
支柱（１）の受け金具（２）から腕木材（３）の係止金具（４）を外すには、受け金具（２）から下方に突出しているくさび（８）の下端部をハンマーで叩き上げると、くさび（９）の上昇に伴い、くさび作用が解けるとともに、板ばね（１２）の下端にある抜け止めピン（１０）に対するくさび（８）の面が、近接面部（１４）から離隔面部（１５）に移るため、受け金具（２）のピン受け入れ孔（７）にある抜け止めピン（１０）が、板ばね（１２）の力により引き出されてくさび案内部材（９）のピン収納孔（１８）に戻される。すると、くさび案内部材（９）は受け金具（２）に対し自由になるので、受け金具（２）から係止金具（４）を外すことができ、腕木材（３）を持ち上げると、支柱（１）に対する腕木材（３）の緊結を解除し得る。
【００２５】
このようにして、支柱（１）からの腕木材（３）の不測の緊結解除と支柱（１）に対する腕木材（３）の不安定さをともになくすることができるのである。
【図面の簡単な説明】
【００２６】
【図１】支柱と、支柱とは別に存在する腕木材を示す水平断面図である。
【図２】図１のII―II線にそう断面図である。
【図３】支柱に腕木材を緊結する直前の状態を示す側面図である。
【図４】係止金具を受け金具に入れ、くさび案内部材の挿入部の下向き段部が受け金具の後部上縁に受け止められた状態を示す一部を切り欠いた側面図である。
【図５】図４のV―V線にそう拡大断面図である。
【図６】図４の状態からくさびを降下させた状態を示す一部を切り欠いた側面図である。
【図７】図６のVII―VII線にそう拡大断面図である。
【図８】図６のVIII―VIII線にそう拡大断面図である。
【図９】板ばねの拡大斜視図である。
【符号の説明】
【００２７】
（１）  支柱
（２）  受け金具
（３）  腕木材
（４）  係止金具
（５）  受け金具の中央壁
（34）  受け金具の一方の側壁    
（６）  くさび案内部材の一側壁
（７）  ピン受け入れ孔
（８）  くさび
（９）  くさび案内部材
（１０）  抜け止めピン
（１１）  くさび案内部材の他側壁
（１２）  板ばね  
（１３）  くさびの前下り傾斜部
（１４）  くさびの近接面部
（１５）  くさびの離隔面部
（１６）  くさび案内部材の下向き段部
（１７）  くさび案内部材の挿入部
（３１）  くさび案内部材の中央壁
（３５）  くさびの前縁の垂直部
【図１】
2008280741.tif 000003
【図２】
2008280741.tif 000004
【図３】
2008280741.tif 000005
【図４】
2008280741.tif 000006
【図５】
2008280741.tif 000007
【図６】
2008280741.tif 000008
【図７】
2008280741.tif 000009
【図８】
2008280741.tif 000010
【図９】
2008280741.tif 000011